(57)【要約】    【課題】  作業性に優れ、簡単で安価に基準面を検出でき、又基準面の測定が可能な位置測定システムを提供する。    【解決手段】  既知の点に設けられ上下方向に広がり角を有するレーザ光線４０を回転照射する投光光学系と、レーザ光線の反射光を画像受光部上に導く受光光学系とを有する回転レーザ装置１と、前記レーザ光線を前記回転レーザ装置に向けて反射する反射体を有する対象物５５と、該対象物の位置を求める為のＧＰＳ位置測定装置５７と、前記画像受光部の前記反射光の受光位置から対象物に対する高低角を演算し、前記回転レーザ装置の位置情報、前記ＧＰＳ位置測定装置による位置情報、前記高低角に基づき前記対象物の位置、高さを演算する制御演算部とを具備する。    【選択図】          図１
2006003119.tif 000002
【特許請求の範囲】
【請求項１】
既知の点に設けられ上下方向に広がり角を有するレーザ光線を回転照射する投光光学系と、レーザ光線の反射光を画像受光部上に導く受光光学系とを有する回転レーザ装置と、前記レーザ光線を前記回転レーザ装置に向けて反射する反射体を有する対象物と、該対象物の位置を求める為のＧＰＳ位置測定装置と、前記画像受光部の前記反射光の受光位置から対象物に対する高低角を演算し、前記回転レーザ装置の位置情報、前記ＧＰＳ位置測定装置による位置情報、前記高低角に基づき前記対象物の位置、高さを演算する制御演算部とを具備することを特徴とする位置測定システム。
【請求項２】
前記回転レーザ装置が第１データ送受信部を有し、前記対象物が第２データ送受信部を有し、前記第１データ送受信部と第２データ送受信部間で高低角を演算し、前記回転レーザ装置の位置情報、前記ＧＰＳ位置測定装置による位置情報、前記高低角に基づき前記対象物の位置、高さを演算する情報の送受信が可能であり、前記回転レーザ装置、対象物の少なくとも一方が制御演算部を具備し、該制御演算部で前記対象物の位置、高さを演算する請求項１の位置測定システム。
【請求項３】
前記対象物は建設機械であり、前記ＧＰＳ位置測定装置が前記建設機械に設けられ、該建設機械の施工位置が求められる請求項１の位置測定システム。
【請求項４】
前記対象物は複数の建設機械であり、前記回転レーザ装置はレーザ光線の照射方向の角度を検出するロータリエンコーダを有し、該ロータリエンコーダの検出信号に基づき前記建設機械の個別認識を可能とし、前記第１データ送受信部、前記第２データ送受信部間で送受信される信号は前記建設機械を個別認識可能である請求項３の位置測定システム。
【発明の詳細な説明】
【技術分野】
【０００１】
本発明はレーザ光線を回転照射し、対象物で反射されたレーザ光線を受光し、レーザ光線の受光状態により、作業位置等の位置を測定する位置測定システムに関するものである。
【背景技術】
【０００２】
従来、レーザ光線を回転照射して、基準面を形成する代表的な装置としては、回転レーザ装置及びレーザ光線を受光する受光装置がある。
【０００３】
回転レーザ装置は、光束が点状のレーザ光線を回転照射して基準面を形成するものである。例えば、レーザ光線を水平面内に回転照射することで、水平基準面が形成され、鉛直面内に回転照射することで鉛直基準面が形成され、傾斜面内に回転照射することで傾斜基準面が形成される。
【０００４】
受光装置は、レーザ光線を受光し検出する受光部を有し、該受光部が検出したレーザ光線に基づき水平基準位置、鉛直基準位置等の測定を行うものであり、前記回転レーザ装置と受光装置によって位置測定システムを構成することができる。又、前記レーザ光線により形成される基準面を利用した位置測定システムは、広範囲の作業となる土木作業に有効である。
【０００５】
建設機械による土木作業の様な、野外の広い場所で位置測定システムを使用する場合、建設機械に設けられた受光装置によって基準面が検出され、検出された基準面により、建設機械の作業位置が測定される様になっている。この場合、基準面に対する受光装置の位置合せ範囲も大きくなり、受光部が小さいと作業者による手動での操作が困難となるので、受光部が大きくなっている。例えば、形成される基準面が水平基準面である場合は、上下方向に数１０ｃｍ、場合によっては１ｍ以上の受光部を有する受光装置もある。
【０００６】
建設機械、例えばブルドーザに代表される建設機械では、回転レーザ装置と建設機械に設けられた受光装置の組合せで平面の施工管理を行う。又、建設機械の施工状態を管理する場合には、これにＧＰＳ位置測定装置を加え３地上の位置と高さの３次元的な施工管理を行う装置もある。ＧＰＳ位置測定装置により地上面の水平方向の位置検出を行い、高さ方向の検出は安定した回転レーザ装置と受光装置が使われる。
【０００７】
図８は、受光装置が建設機械に設けられた場合の従来の作業位置測定システムを示している。
【０００８】
図中、１は回転レーザ装置、２は建設機械（図ではブルドーザを示している）を示しており、前記回転レーザ装置１は所定箇所に設置された三脚３に固定され、前記回転レーザ装置１から照射されるレーザ光線４により基準面が形成される。受光器５は、前記ブルドーザ２の作業工具、例えばブレード６に立設された取付けポール７に固定される。前記所定箇所の地表から基準面迄の値が既知とされ、前記受光器５の受光の基準位置と前記ブレード６の刃先６ａの位置迄の距離を既知とすることで、前記受光器５の前記レーザ光線４の受光位置が所定位置に保持される様に造成作業を行えば、計画された平面通りに整地作業を行うことができる。
【０００９】
図９は、前記ブルドーザ２で使用される前記受光器５を示している。
【００１０】
該受光器５はポールクランプ８により前記取付けポール７に固定される。前記受光器５には受光部９が設けられている。前記受光部９は、受光センサ１１が縦に多数配置され縦長に構成されたものであり、該受光センサ１１の内、前記レーザ光線４を受光している前記受光センサ１１から発せられる信号により受光している受光センサ１１を特定でき、該受光センサ１１の位置により前記レーザ光線４の受光位置が検出できる様になっている。
【００１１】
前記ブルドーザ２で工事現場の地表を前記基準面に基づいて削る場合、又は埋める場合、前記受光部９の受光範囲を超える地形で整地をする場合が多々あり、受光範囲が数１０ｃｍ程度の受光器では受光困難となる。
【００１２】
前記ブレード６は地形に応じて上下に移動する為、該ブレード６に設けられている前記受光器５は、例えば３００ｍｍもの長さに亘る前記受光部９を持っていても充分ではない。従って、該受光部９の受光範囲を広げる為、前記ポール７を伸縮させ、前記受光器５自体が上下移動できる構造になっているものがある。
【００１３】
然し乍ら、長い前記受光部９は短い前記受光センサ１１を多数配設したもので非常に高価であるという問題がある。更に、前記受光部９を上下させる装置は、駆動部、該駆動部の制御部等の複雑な構造を必要とし、高価な装置となっている。
【００１４】
尚、上下方向に所要の長さを有する受光センサを具備した受光部を使用した位置測定システムとしては特許文献１に示されるものがある。
【００１５】
【特許文献１】特開平１１−２５６６２０号公報
【発明の開示】
【発明が解決しようとする課題】
【００１６】
本発明は斯かる実情に鑑み、作業性に優れ、簡単で安価に基準面を検出でき、又基準面の測定が可能な位置測定システムを提供しようとするものである。
【課題を解決するための手段】
【００１７】
本発明は、既知の点に設けられ上下方向に広がり角を有するレーザ光線を回転照射する投光光学系と、レーザ光線の反射光を画像受光部上に導く受光光学系とを有する回転レーザ装置と、前記レーザ光線を前記回転レーザ装置に向けて反射する反射体を有する対象物と、該対象物の位置を求める為のＧＰＳ位置測定装置と、前記画像受光部の前記反射光の受光位置から対象物に対する高低角を演算し、前記回転レーザ装置の位置情報、前記ＧＰＳ位置測定装置による位置情報、前記高低角に基づき前記対象物の位置、高さを演算する制御演算部とを具備する位置測定システムに係り、又前記回転レーザ装置が第１データ送受信部を有し、前記対象物が第２データ送受信部を有し、前記第１データ送受信部と第２データ送受信部間で高低角を演算し、前記回転レーザ装置の位置情報、前記ＧＰＳ位置測定装置による位置情報、前記高低角に基づき前記対象物の位置、高さを演算する情報の送受信が可能であり、前記回転レーザ装置、対象物の少なくとも一方が制御演算部を具備し、該制御演算部で前記対象物の位置、高さを演算する位置測定システムに係り、又前記対象物は建設機械であり、前記ＧＰＳ位置測定装置が前記建設機械に設けられ、該建設機械の施工位置が求められる位置測定システムに係り、更に又前記対象物は複数の建設機械であり、前記回転レーザ装置はレーザ光線の照射方向の角度を検出するロータリエンコーダを有し、該ロータリエンコーダの検出信号に基づき前記建設機械の個別認識を可能とし、前記第１データ送受信部、前記第２データ送受信部間で送受信される信号は前記建設機械を個別認識可能である位置測定システムに係るものである。
【発明の効果】
【００１８】
本発明によれば、既知の点に設けられ上下方向に広がり角を有するレーザ光線を回転照射する投光光学系と、レーザ光線の反射光を画像受光部上に導く受光光学系とを有する回転レーザ装置と、前記レーザ光線を前記回転レーザ装置に向けて反射する反射体を有する対象物と、該対象物の位置を求める為のＧＰＳ位置測定装置と、前記画像受光部の前記反射光の受光位置から対象物に対する高低角を演算し、前記回転レーザ装置の位置情報、前記ＧＰＳ位置測定装置による位置情報、前記高低角に基づき前記対象物の位置、高さを演算する制御演算部とを具備するので、対象物の反射体の位置をレーザ光線の照射位置に合わせる必要がなく、レーザ光線を反射体に入射させることが容易であると共に反射体支持部の構造が簡単になる。
【００１９】
又本発明によれば、前記対象物は建設機械であり、前記ＧＰＳ位置測定装置が前記建設機械に設けられ、該建設機械の施工位置が求められるので、簡単な構成で建設機械の施工管理が可能となる。
【００２０】
又本発明によれば、前記対象物は複数の建設機械であり、前記回転レーザ装置はレーザ光線の照射方向の角度を検出するロータリエンコーダを有し、該ロータリエンコーダの検出信号に基づき前記建設機械の個別認識を可能とし、前記第１データ送受信部、前記第２データ送受信部間で送受信される信号は前記建設機械を個別認識可能であるので、１つの回転レーザ装置を用いて複数の建設機械の施工管理が可能となり、安価な位置測定システムを構成可能となる等の優れた効果を発揮する。
【発明を実施するための最良の形態】
【００２１】
以下、図面を参照しつつ本発明を実施する為の最良の形態を説明する。
【００２２】
図１は、本発明に係る位置測定システムを土木作業現場での位置測定システムとして適用した場合の第１の実施の形態を示している。
【００２３】
図１中、図８中で示したものと同等のものには同符号を付してあり、図中１は回転レーザ装置、２はブルドーザを示し、前記回転レーザ装置１は既知の位置に設置される。又該回転レーザ装置１は、例えば数ｍ程度の高さの三脚３上に設置され、或は既知の構造物に設置され、前記回転レーザ装置１の高さも既知となっている。先ず、図２、図３に於いて、前記回転レーザ装置１について説明する。尚、図３は図２中の反射ミラー２８を９０°回転させた状態を示している。
【００２４】
回転レーザ装置１は回転レーザ装置本体１３と整準部１４、本体ケース１５に設けられたデータ送受信部１６から構成されている。
【００２５】
前記回転レーザ装置本体１３について説明する。
【００２６】
前記本体ケース１５の上面には凹部１７が形成され、該凹部１７には周囲にフランジ部１８が形成される様に孔１９が穿設され、フランジ付中空軸２１が前記孔１９と同心に前記フランジ部１８に取付けられ、前記フランジ付中空軸２１に回転部２２が軸受２３を介して回転自在に外嵌されている。
【００２７】
前記回転部２２の上端には被動ギア２４が嵌着され、前記本体ケース１５の前記凹部１７壁面には水平回動モータ２５が設けられ、該水平回動モータ２５の出力軸に設けられた駆動ギア２６が前記被動ギア２４に噛合している。
【００２８】
センサ保持部７１が前記凹部１７の壁面に固着され、前記センサ保持部７１は凹字形状をしており、開放部が中心に向う様に取付けられている。該センサ保持部７１の庇部に発光器７２が設けられ、該発光器７２に対向する様に受光器７３が前記センサ保持部７１の底部に設けられている。
【００２９】
前記回転部２２にパターンリング７４が前記回転部２２と同心に設けられ、前記パターンリング７４の周縁部は前記発光器７２と前記受光器７３との間を遮る様になっている。前記パターンリング７４は角度検出用のパターンが形成されており、前記発光器７２から発せられた光が前記パターンリング７４を透過して前記受光器７３で受光されることで、所定角度毎にパルス信号が発せられる様になっており、前記発光器７２、前記パターンリング７４、前記受光器７３はロータリエンコーダ６９を構成している。
【００３０】
前記回転部２２の上面にはブラケット２７が立設され、該ブラケット２７に反射ミラー２８が固定され、該反射ミラー２８は水平に対して４５゜傾斜している。
【００３１】
前記フランジ付中空軸２１の下端には該フランジ付中空軸２１と同心に鏡筒２９が取付けられ、該鏡筒２９の中心線３１上には上側から対物レンズ３２、小ミラー３３、画像受光部３４が配設されている。該画像受光部３４としては、イメージセンサ、例えばＣＣＤやＣＭＯＳセンサ等、受光面内での位置を判別できる受光素子が用いられる。
【００３２】
前記小ミラー３３の反射光軸上にコンデンサレンズ３５、半導体レーザ等の発光素子を有する追尾光発光部３６が配設されている。
【００３３】
前記対物レンズ３２、前記小ミラー３３、前記画像受光部３４、前記コンデンサレンズ３５、前記追尾光発光部３６、追尾検出回路５０（後述）等は追尾検出部３７を構成し、前記追尾光発光部３６からの追尾光４０は前記反射ミラー２８を介して回転照射され、対象物５５の反射プリズム（図１参照）で反射された反射光４０ａは前記反射ミラー２８、前記対物レンズ３２を介して前記画像受光部３４に受光される様になっている。又、前記追尾光４０は上下方向に広がり角を有する扇状レーザ光線として射出される。
【００３４】
前記小ミラー３３、前記対物レンズ３２、前記反射ミラー２８は投光光学系を形成し、前記反射ミラー２８、前記対物レンズ３２は受光光学系を形成する。
【００３５】
尚、３８は電池等の電源部を具備する制御部である。
【００３６】
前記本体ケース１５の上面には前記反射ミラー２８、水平回動モータ２５等を水密に覆うカバー３９が設けられ、該カバー３９はガラス等の透明材質となっている。
【００３７】
次に、前記整準部１４について説明する。
【００３８】
台座４１に支柱４２が立設され、該支柱４２の先端は球面となっており、前記本体ケース１５の下面に形成された凹部に傾動自在に嵌合している。前記支柱４２を頂点として３角形の他の２頂点の位置に、前記本体ケース１５の底面を螺合貫通するレベル調整螺子４３（一方は図示せず）が設けられ、該レベル調整螺子４３の上端にはギア４４が嵌着されている。前記台座４１と前記回転レーザ装置本体１３間にはスプリング４８が張設され、前記台座４１と前記回転レーザ装置本体１３とは近接する様に付勢されている。前記本体ケース１５の底面にはレベル調整モータ４５が設けられ、該レベル調整モータ４５の出力軸にピニオンギア４６が設けられ、該ピニオンギア４６は前記ギア４４に噛合している。前記レベル調整モータ４５は前記制御部３８によって駆動制御される。又、前記本体ケース１５の底面には傾斜センサ４７が設けられ、該傾斜センサ４７は前記回転レーザ装置本体１３の傾斜を検出し、検出結果は前記制御部３８に送出される様になっている。
【００３９】
図４により該制御部３８について説明する。
【００４０】
該制御部３８は前記データ送受信部１６、前記傾斜センサ４７、前記追尾検出回路５０、及び制御演算部（ＣＰＵ）５１、前記水平回動モータ２５及び前記レベル調整モータ４５を駆動するモータ駆動回路５２、回転レーザ装置用記憶部５３、前記回転レーザ装置本体１３に着脱可能に設けられた操作部５４等から構成されている。前記追尾検出回路５０は、前記画像受光部３４で得られた信号に基づき前記回転レーザ装置１を基準とした対象物５５（図１参照）に対する高低角を求める様になっている。
【００４１】
前記回転レーザ装置用記憶部５３には、ロータリエンコーダ６９からの回転角度データに基いて、回転する画像を補正する補正プログラム、レーザ光線を回転照射作動させる為の作動プログラム、前記傾斜センサ４７の信号を基に前記回転レーザ装置本体１３を整準させる為の作動プログラム、データを前記ブルドーザ２に送信する為の送信プログラム、演算プログラム等、回転レーザ装置１を作動させる為に必要な各種プログラムが格納され、前記操作部５４は前記回転レーザ装置１に取付けた状態で、該回転レーザ装置１の操作が可能であると共に取外して遠隔操作も可能となっている。
【００４２】
前記データ送受信部１６は、前記追尾光４０を回転照射して得られた前記対象物５５に対する高低角、及び回転レーザ装置１が設置された位置データ（位置座標）を後述するブルドーザ２の制御装置５９に送信可能となっている。尚、送信方法としては、無線通信、光通信のいずれの方法も使用可能である。
【００４３】
次に、前記ブルドーザ２について概略を説明する。
【００４４】
前記ブレード６に取付けポール７を立設し、該取付けポール７に対象物５５が取付けられる。該対象物５５は反射体、例えば反射プリズムを有し、又ポール傾斜センサ６２（後述）を具備し、前記反射プリズムは前記追尾光４０が照射された場合に該追尾光４０を前記回転レーザ装置１に向って反射し、前記ポール傾斜センサ６２は前記取付けポール７の傾斜を検出可能となっている。
【００４５】
尚、対象物５５は少なくとも、反射体を具備していればよく、該対象物５５を前記取付けポール７を介して前記ブルドーザ２に取付けた場合には、対象物５５と前記ブルドーザ２を一体として新たに対象物として認識することも可能である。
【００４６】
前記対象物５５と前記刃先６ａとの距離は既知の値となっている。又、前記ブレード６を上下させるアクチュエータ、例えば油圧シリンダ５６は、掘削作業制御部（後述）によって駆動が制御され、又該掘削作業制御部はブルドーザ２の基準位置（例えばブルドーザ２の前記油圧シリンダ５６の枢着位置）に対する前記刃先６ａの相対高さを演算可能となっている。
【００４７】
前記ブルドーザ２の所要位置、好ましくは運転室の天井等上方が開放された場所にＧＰＳ位置測定装置５７が取付けられる。
【００４８】
前記ブルドーザ２は、前記ブレード６による現実の工事施工位置をリアルタイムで演算し、或は土木施工データに従って工事を進行させる為の制御装置５９を具備している。
【００４９】
該制御装置５９について、図６を参照して説明する。
【００５０】
該制御装置５９は制御演算部６１、前記ポール傾斜センサ６２、記憶部６３、アクチュエータ制御回路６４、操作部６５、表示部６６、送受信部６７等から構成される。
【００５１】
前記記憶部６３には前記回転レーザ装置１から送信された、該回転レーザ装置１の位置情報、高さ情報、高低角と前記ＧＰＳ位置測定装置５７で得られたブルドーザ２の位置情報、土木施工データ等を記憶格納し、又前記回転レーザ装置１と前記対象物５５間の平面座標上の距離を演算し、更に高低角から前記対象物５５の高さを演算し、更に、前記刃先６ａの平面座標上での位置及び高さを演算する為の演算プログラム、前記回転レーザ装置１との間のデータ通信を実行する通信プログラム、前記油圧シリンダ５６を前記土木施工データに基づき制御する制御プログラム等のプログラムが格納されている。
【００５２】
前記表示部６６には、例えば、前記ＧＰＳ位置測定装置５７の検出する絶対位置、該ＧＰＳ位置測定装置５７の検出に基づき演算された前記対象物５５の位置、該対象物５５の高さ、前記ブレード６の高さ、前記回転レーザ装置１から送信された位置情報等又はＣＧ（ＣＯＭＰＵＴＥＲ  ＧＲＡＰＨＩＣＳ）化された施工データ上の位置が表示される。
【００５３】
以下、作動を説明する。
【００５４】
前記回転レーザ装置１を前記操作部５４により駆動すると、前記制御演算部５１により前記モータ駆動回路５２を介して前記レベル調整モータ４５が駆動される。前記傾斜センサ４７からの傾斜検出信号に基づき前記回転レーザ装置本体１３が水平に整準される。
【００５５】
前記追尾光発光部３６が駆動され、前記追尾光４０が射出されると該追尾光４０は前記小ミラー３３に反射され更に前記反射ミラー２８によって水平方向に偏向されて射出される。前記水平回動モータ２５が駆動され、前記駆動ギア２６、前記被動ギア２４を介して前記反射ミラー２８が前記中心線３１を中心に回転される。前記反射ミラー２８の回転により上下方向の広がり角を有する前記追尾光４０が前記カバー３９を透して回転照射される。
【００５６】
前記追尾光４０は上下に広がり角を有するので、前記回転レーザ装置１と前記ブルドーザ２間に高低差があっても、前記対象物５５の高低を調整する必要なく前記追尾光４０は前記対象物５５を照射する。
【００５７】
前記追尾光４０が前記対象物５５により反射されると、反射光４０ａが前記反射ミラー２８を介して前記回転レーザ装置１に入射され、前記対物レンズ３２によって前記反射光４０ａが前記画像受光部３４上に集光される。
【００５８】
このとき画像は前記画像受光部３４に対し、前記反射ミラー２８の回転に追従して回転した状態であるので前記ロータリエンコーダ６９の検出角度に基いて補正プログラムにより画像の回転を補正する。補正された後、画像に基づき高低角が求められる。
【００５９】
図５（Ａ）（Ｂ）に示される様に、前記対象物５５と前記回転レーザ装置１との間に高低差が存在すると、前記反射光４０ａの集光位置が中心線３１よりＳだけずれる。前記画像受光部３４と前記対物レンズ３２間の距離をｆとすると、Ｓ＝ｆｔａｎθの関係があり、θは高低角に他ならないので、前記画像受光部３４上のＳ、又ずれの方向を求めることで直ちに前記対象物５５の高低角θが求められる。
【００６０】
該高低角θ、及び回転レーザ装置１の座標データ等の情報が前記データ送受信部１６より前記ブルドーザ２に送信される。
【００６１】
前記送受信部６７により前記データ送受信部１６から送信される高低角情報が受信され、前記記憶部６３に記憶される。又、該記憶部６３には前記ＧＰＳ位置測定装置５７からの位置情報、前記ポール傾斜センサ６２からの対象物５５の傾斜角が記憶される。
【００６２】
前記制御演算部６１は、前記回転レーザ装置１の位置情報と前記ＧＰＳ位置測定装置５７で得られた前記ブルドーザ２（前記ＧＰＳ位置測定装置５７の取付けられた位置）の位置情報に基づき平面座標上での前記回転レーザ装置１と前記取付けポール７間の距離を演算する。又、演算された距離と高低角から前記回転レーザ装置１と前記ブルドーザ２（即ち前記対象物５５）間の高低差が演算され、更に前記回転レーザ装置１の地表からの高さ情報から前記対象物５５の高さが得られる。尚、前記制御演算部６１が前記画像受光部３４のずれ量Ｓを受信し、高低角も制御演算部６１で演算する様にしてもよい。
【００６３】
前記ＧＰＳ位置測定装置５７と前記刃先６ａ間の機械的位置関係、前記対象物５５と前記刃先６ａ間の機械的位置関係から、該刃先６ａの現実の平面座標上での位置及び高さが演算される。尚、前記取付けポール７が傾斜した場合は、前記ポール傾斜センサ６２が検出した傾斜角と、前記刃先６ａと前記対象物５５間の距離に基づき、前記刃先６ａの高さ、平面座標上での位置を補正する。
【００６４】
前記記憶部６３に施工図と施工高さ（土木施工データ）を関連付けて記憶させ、前記制御演算部６１によって前記ＧＰＳ位置測定装置５７に基づいて求められた座標位置と施工図及び施工高さとからその座標地点に於ける前記ブレード６の刃先６ａとの高さの差を求め、差がゼロになる様に管理する。即ち、該ブレード６を上下する前記油圧シリンダ５６を制御することで、土木作業の管理を行うことができる。
【００６５】
而して、前記制御演算部６１は土木施工データに基づき前記アクチュエータ制御回路６４を介して前記油圧シリンダ５６を駆動制御し、前記ブルドーザ２による掘削、盛土が土木施工データに基づいて施工される。
【００６６】
前記ブレード６の上下動は前記制御演算部６１によって制御されるので、作業者は前記表示部６６に表示される土木施工データを確認しながら、前記ブルドーザ２を移動させるだけでよく、作業者の負担は大幅に軽減される。
【００６７】
尚、前記追尾光４０は扇状であるので、前記ブレード６の上下移動に伴い前記対象物５５の上下移動があっても該対象物５５が前記追尾光４０から外れることがなく、前記回転レーザ装置１に向って反射光４０ａを反射することができる。
【００６８】
前記対象物５５に設けられる前記反射体は適宜な面積を有する反射シートの様なものでよく、前記取付けポール７の昇降機構も必要ないので、構造が大幅に簡略化できる。
【００６９】
尚、前記ブルドーザ２側の制御装置５９が送信部を有し、前記ＧＰＳ位置測定装置５７で測定した位置情報を前記回転レーザ装置１側に送信し、該回転レーザ装置１の制御部３８が対象物５５の位置情報を有し、前記対象物５５の高さを演算する様にしてもよい。
【００７０】
又、前記ＧＰＳ位置測定装置５７は前記取付けポール７の上端に設けてもよい。又、前記対象物５５に前記ＧＰＳ位置測定装置５７を設けると共に回転レーザ装置１と前記対象物５５間の距離及び高低角から対象物５５の高さを演算する演算部、受信部を設けることで、ブルドーザ２とは独立した位置測定システムとすることもできる。
【００７１】
以上は画像受光部３４が固定された構造であるが、該画像受光部３４が前記反射ミラー２８と共に回転する構造の場合、ロータリエンコーダ６９は必要ない。
【００７２】
図７により第２の実施の形態について説明する。
【００７３】
該第２の実施の形態は、１台の回転レーザ装置１により複数のブルドーザ２ａ，２ｂ，…の土木作業を管理する様にしたものである。
【００７４】
図７中、図１中で示したものと同等のものには同符号を付し説明を省略する。回転レーザ装置１、ブルドーザ２ａ，２ｂ，…については図２〜図６で示したと同様であるので説明を省略する。
【００７５】
第２の実施の形態では、回転レーザ装置１が複数のブルドーザ２ａ，２ｂ，…を識別する為の識別手段を具備している。尚、複数のブルドーザ２ａ，２ｂ，…については、上記実施の形態で説明したブルドーザ２と同様な構成を具備している。以下は、主に識別手段について説明する。
【００７６】
複数のブルドーザ２ａ，２ｂ，…を識別する場合、画像受光部３４が反射ミラー２８と一体に回転する構造でもロータリエンコーダ６９が設けられる。
【００７７】
前記ロータリエンコーダ６９からの信号、即ち受光器７３からの信号は制御部３８に入力される（図４参照）。
【００７８】
例えば図７に於いてブルドーザ２ａの対象物５５の反射体からの反射光４０ａが前記画像受光部３４に入射した時の前記ロータリエンコーダ６９からの角度検出信号が前記画像受光部３４からの受光信号に対応付けられて前記回転レーザ装置用記憶部５３に記憶される。同様にブルドーザ２ｂの対象物５５の反射体からの反射光４０ａが前記画像受光部３４に入射した時の前記ロータリエンコーダ６９からの角度検出信号が前記画像受光部３４からの受光信号に対応付けられると共に識別データが付されて前記回転レーザ装置用記憶部５３に記憶される。
【００７９】
従って、前記画像受光部３４からの受光信号が検出された場合の、前記ロータリエンコーダ６９からの角度信号を、前記回転レーザ装置用記憶部５３で記憶された角度とを照会することで、反射光４０ａが前記ブルドーザ２ａからのものか、前記ブルドーザ２ｂからのものかを識別することができる。
【００８０】
前記データ送受信部１６からは、識別データと共に前記対象物５５に対する高低角、及び回転レーザ装置１が設置された位置データを含む通信データを送信する。前記ブルドーザ２ａ，２ｂの送受信部６７は識別データ識別部を有し、通信データを受信する場合、識別データについて確認し、識別データが一致している通信データのみを受信する。
【００８１】
通信データを受信することで、前記対象物５５と通信データを受信したブルドーザ２との位置関係が演算できる。
【００８２】
尚、前記追尾光４０を光変調等して、通信データを該追尾光４０に重畳して光通信することも可能であり、光通信の場合指向性が強いので、必ずしも識別データを合わせて送信する必要がない。送信すべきブルドーザ２を前記ロータリエンコーダ６９が検出する回転角度によって判別し、前記ロータリエンコーダ６９によって検出される回転角度が送信すべきブルドーザ２の回転角度と一致した場合に通信データを送信すればよい。
【００８３】
而して、１台の回転レーザ装置１により複数台のブルドーザ２ａ，２ｂ，…の土木作業を管理することが可能である。
【００８４】
又、前記ブルドーザ２側から前記回転レーザ装置１に識別データを送信する様にし、回転レーザ装置１は通信データを送信する場合に、前記ブルドーザ２から送信された識別データと共に通信データを送信する様にしてもよい。
【図面の簡単な説明】
【００８５】
【図１】本発明の第１の実施の形態を示す説明図である。
【図２】本発明の第１の実施の形態に於ける回転レーザ装置の断面図である。
【図３】本発明の第１の実施の形態に於ける回転レーザ装置の断面図である。
【図４】該回転レーザ装置の制御部のブロック図である。
【図５】（Ａ）（Ｂ）は本発明の第１の実施の形態に於ける画像受光部上の反射光の結像位置と高低角の関係を示す説明図である。
【図６】本発明の第１の実施の形態に於けるブルドーザの制御装置のブロック図である。
【図７】本発明の第２の実施の形態を示す説明図である。
【図８】従来の位置測定システムの説明図である。
【図９】従来の位置測定システムに於ける受光器の説明図である。
【符号の説明】
【００８６】
１              回転レーザ装置
２              ブルドーザ
１３            回転レーザ装置本体
１４            整準部
１６            データ送受信部
２５            水平回動モータ
２８            反射ミラー
３１            中心線
３３            小ミラー
３４            画像受光部
３７            追尾検出部
３８            制御部
４０            追尾光
４０ａ          反射光
５１            制御演算部
５７            ＧＰＳ位置測定装置
５９            制御装置
６１            制御演算部
１            ロータリエンコーダ
【図１】
2006003119.tif 000003
【図２】
2006003119.tif 000004
【図３】
2006003119.tif 000005
【図４】
2006003119.tif 000006
【図５】
2006003119.tif 000007
【図６】
2006003119.tif 000008
【図７】
2006003119.tif 000009
【図８】
2006003119.tif 000010
【図９】
2006003119.tif 000011